(57)【要約】  本発明は、表面殺菌装置の改良に関し、特に、高濃度オゾン水を用いた創傷の殺菌に使用可能な装置に関する。装置は、流体を治療対象の表面に塗布する塗布手段と、前記塗布手段に流体を送達する流体送達手段と、表面に塗布された後の流体を回収する捕捉手段と、を備える。捕捉手段から流体を除去するために流体戻り手段が設けられ、流体戻り手段の内部を真空にするための手段が設けられる。装置はさらに、２つの係合可能な部品を有し、複数の通路を含む釈放可能な継手を備え、その通路の少なくとも１つは、部品が係合した時に流体送達手段に接続され、その通路の少なくとも別の１つは、部品が係合した時に流体戻り手段に接続される。各通路は、係合可能な部品が係合すると開いて流体が継手内を流れることができるようにし、係合可能な部品の係合が解除されると閉じて流体の流れを阻止する弁手段を備える。圧力モニタ手段が流体戻り手段内の圧力を測定し、測定された圧力が複数の所定の圧力値と比較され、装置の正しい機能が判定される。測定された圧力が第一の所定の圧力値より低いと、流体が塗布手段へと送達されるのが阻止される。
2014516666.tif 000002
【特許請求の範囲】
【請求項１】
表面を治療するための流体を供給する装置において、
塗布段階中に、流体を治療対象の表面に塗布する塗布手段と、
前記塗布手段に流体を送達する流体送達手段と、
表面に塗布された後の流体を回収する捕捉手段と、
流体を捕捉手段から除去する流体戻り手段と、
流体戻り手段の内部を真空にするための手段と、
２つの係合可能な部品を有し、複数の通路を含む釈放可能な継手であって、その通路の少なくとも１つは、部品が係合した時に流体送達手段に接続され、その通路の少なくとも別の１つは、部品が係合した時に流体戻り手段に接続され、各通路は、係合可能な部品が係合すると開いて流体が継手内を流れることができるようにし、係合可能な部品の係合が解除されると閉じて流体の流れを阻止する弁手段を含むような継手と、
流体戻り手段内の圧力を測定する圧力モニタ手段であって、測定された圧力を複数の所定の圧力値と比較して、装置の正しい機能を判定する圧力モニタ手段と、
を備え、
装置は、塗布段階の開始前に、測定された圧力が第一の所定の圧力値より低ければ、流体が塗布手段へと送達されるのを阻止するようになされていることを特徴とする装置。  
【請求項２】
請求項１に記載の装置において、
装置は、塗布段階の開始後に測定された圧力が第二の所定の圧力値より低く下降しているか、第一の所定の圧力値より高く上昇していれば、流体が塗布手段に送達されるのを阻止するようになされており、前記第二の所定の圧力値は第一の所定の圧力値より低いことを特徴とする装置。
【請求項３】
請求項２に記載の装置において、
装置は測定された圧力が第二の所定の圧力値より大きいが、第一の所定の圧力値より低ければ、流体が塗布手段に送達されるようになされていることを特徴とする装置。
【請求項４】
請求項１から３のいずれか１項に記載の装置において、
装置の機能に関する情報をオペレータに提供する手段をさらに備えることを特徴とする装置。
【請求項５】
請求項４に記載の装置において、
提供される情報は、以下の条件、
流体戻り手段が詰まっている、
真空化手段が動作中である、
係合可能な部品が係合している、
捕捉手段が流体戻り手段に接続されている、
のいずれかが当てはまるか否かを示すことを特徴とする装置。
【請求項６】
請求項１から５のいずれか１項に記載の装置において、
流体がオゾン水であることを特徴とする装置。
【請求項７】
請求項１から６のいずれか１項に記載の装置において、
真空化手段がポンプであることを特徴とする装置。
【発明の詳細な説明】
【技術分野】
【０００１】
本発明は、表面殺菌装置の改良に関し、特に、高濃度オゾン水を用いた創傷の殺菌に使用可能な装置に関する。
【背景技術】
【０００２】
このようなシステムの１つが特許文献１に記載されており、そこには３つの主要構成要素、すなわち、濃縮オゾン水溶液を生成する装置と、オゾン水溶液を治療対象の四肢表面に噴霧する装置と、治療対象の四肢を支持し、治療した四肢から流れ落ちた溶液を処分に向けて回収する装置と、を含む、治療を行うための装置と方法が詳細に説明されている。第一の装置は、ポンプ手段と差圧注入器を含む流体再循環ループに連結された流体収容タンクを含む。酸素源がオゾン発生器を介して差圧注入器に接続される。オゾンガスが生成器の中で生成され、差圧注入器を介して循環流体の中に混入され、高濃度オゾン水流体が生成される。
【０００３】
特許文献１に記載されている装置は好ましくは、特許文献２に記載されている多段階迅速接続継手を介して患者の創傷にオゾン処理水を供給する。特許文献２には、患者の四肢を支持し、溶液を送達し、患者の四肢に塗布された溶液を回収するための装置に対する改良が詳細に記されており、多重管路継手を使用することにより、装置の迅速な接続と切断を可能にしている。
【０００４】
多重管路継手は、流体供給線と、空気戻り線と、流体戻り線を一体の継手にまとめたものであり、それによって噴霧手段を患者の創傷の上方に位置付けることができる。患者の創傷部位を治療トレイの支持面上に設置し、オゾン水流体を塗布できるようにする。トレイの患者支持機能は、危険性の観点から、生成装置とトレイの間のあらゆる形態の電気接触と導電路を最小限にすることが好ましいことを意味する。トレイに電気機器または電気接触部を設けないようにすることは、トレイの機能をモニタすることが困難になることを意味する。確実に患者が指定された治療方式に沿って治療を受けられるようにするためには、トレイとその機能をモニタすることが重要である。トレイが接続されていないか、治療中にトレイが切断された場合、溶液を噴霧すると、生成システムの損傷、流体の漏れによる健康および安全上の危険、オゾンガスの周辺環境への放出を引き起こしかねない。システムはまた、流体がトレイから生成ユニットの廃水タンクへと確実に戻るようになっている必要がある。線が詰まると、患者の四肢からの汚れている可能性のある廃水がトレイ内に溜り、溢れ、健康と安全を危険にさらしうる。
【０００５】
圧力検出手段がオゾン水生成装置の流体戻り線の中に組み込まれ、これによって、ポンプ手段により作られる真空を利用して、流体が患者の治療トレイから迅速接続継手を介して除去される。圧力検出手段を使用することにより、迅速接続継手が接続されているか否か、およびオゾン水を治療トレイへと噴霧可能か否かが判断される。さらに、圧力測定手段を使って、流体が多段階継手の流体送達路を介して治療トレイへと供給されているか否かを判断できる。さらにまた、圧力測定手段を使い、多段階継手の廃水戻り線が詰まったか否かを判断できる。
【０００６】
創傷治療への陰圧治療器の応用と利用に関する先行技術が数多くある。この技術の多くは、真空線と圧力測定手段の使用を取り入れて、患者の創傷からの流体の除去を制御し、流体戻り線の詰まりを検出する。先行技術では、患者の創傷への流体の送達を、戻り線のモニタに基づいて確認するための手段は開示されていない。
【０００７】
特許文献３は、噴霧ノズルを介して洗浄液を創傷に塗布する装置を開示している。廃水は、真空線を介して容器内に回収される。同特許は、トレイの使用を開示しておらず、また多段階継手を通じて流体を回収してもいない。
【０００８】
特許文献４は、患者の創傷からの流体戻り線の中で圧力測定手段を使用することを開示している。圧力センサを使って、戻り線の中に作られる真空を所定のレベルに制御し、空気が患者の創傷周辺の真空領域へと漏れているか否かを判断する。同特許は、流体送達線の使用も、その状態を判断するための圧力測定手段の使用も開示していない。
【０００９】
特許文献５は、患者の創傷からの流体戻り線の中で、圧力測定手段を流量測定手段とともに使用することを開示している。この装置のソフトウェア制御システムは、両方のセンサを使用して、線の状態（詰まっている、流れている等）を判断する。
【００１０】
特許文献６は、患者の創傷からの流体戻り線の中で、圧力測定手段を流量測定手段とともに使用することを開示している。この装置のソフトウェア制御システムは、両方のセンサを使用して、線の状態（詰まっている、流れている等）を判断する。
【先行技術文献】
【特許文献】
【００１１】
【特許文献１】国際特許出願公開第２００４／１０３４５２号
【特許文献２】国際特許出願公開第２０１０／１００４３９号
【特許文献３】日本特許公開第３０５１０６１号
【特許文献４】米国特許出願公開第２０１０／０１０００７５号
【特許文献５】米国特許出願公開第２０１０／０２１１０３０号
【特許文献６】国際特許出願公開第２００９／０１９４９６号
【発明の概要】
【発明が解決しようとする課題】
【００１２】
本発明は、このタイプの装置および、特に特許文献１に記載されている装置の有用性の改良に関する。
【課題を解決するための手段】
【００１３】
本発明によれば、表面を治療するための流体を供給する装置が提供され、前記装置は、
流体を治療対象の表面に塗布する塗布手段と、
前記塗布手段に流体を送達する流体送達手段と、
表面に塗布された後の流体を回収する捕捉手段と、
流体を捕捉手段から除去する流体戻り手段と、
流体戻り手段の内部を真空にするための手段と、
２つの係合可能な部品を有し、複数の通路を含む釈放可能な継手であって、その通路の少なくとも１つは、部品が係合した時に流体送達手段に接続され、その通路の少なくとも別の１つは、部品が係合した時に流体戻り手段に接続され、各通路が、係合可能な部品が係合すると開いて流体が継手内を流れることができるようにし、係合可能な部品の係合が解除されると閉じて流体の流れを阻止する弁手段を含むような継手と、
流体戻り手段内の圧力を測定する圧力モニタ手段であって、測定された圧力を複数の所定の圧力値と比較して、装置の正しい機能を判定する圧力モニタ手段と、
を含む。
【００１４】
測定された圧力が第一の所定の圧力値より大きい場合、流体が塗布手段に送達されるのが阻止される。
【００１５】
測定された圧力が第二の所定の圧力値より大きいが、第一の所定の圧力値より小さい場合、流体は塗布手段へと送達される。
【００１６】
好ましくは、この装置はさらに、装置の機能に関する情報をオペレータに提供する手段を含む。
【００１７】
提供される情報は、以下の条件のいずれかが当てはまるか否かを示してもよい。
流体戻り手段が詰まっている。
真空化手段が動作している。
係合可能な部品が係合している。
捕捉手段が流体戻り手段に接続されている。
【００１８】
流体は好ましくは、オゾン水である。
【００１９】
真空化手段は好ましくはポンプである。
【００２０】
本発明はそれゆえ、圧力検出手段を上記の装置とともに使用して、装置が相互に連結されているか否か、および流体が１つの装置から別の装置に送達され、その後第二の前記装置から第一の装置に戻されているか否かを検出する。
【図面の簡単な説明】
【００２１】
【図１】本発明の装置の概略図である。
【図２】図１の装置の迅速接続継手の弁付コネクタの概略図である。
【図３】図１の装置の廃水戻り線の中に生成される異なる圧力レベルのグラフである。
【発明を実施するための形態】
【００２２】
以下に、あくまでも例として、添付の図面を参照しながら、そこに示されているように本発明を説明する。
【００２３】
図１は、特許文献１および特許文献２に記載されている装置とともに使用可能な装置の概略図である。
【００２４】
患者治療トレイ１１は、迅速接続継手１２によってオゾン水生成装置１０（一部のみ図示）に接続されている。継手１２（より詳しくは図２に図示）はクリップ１３を有し、これはオゾン水生成装置１０と、治療トレイ１１の一部を形成する受容部１４に接続される。クリップ１３は２つの雌部１５、１６を収容し、受容部１４はこれに対応する２つの雄部１７、１８を含む。雌部と雄部１５、１６、１７、１８の各々は、それらの係合が外れた時に流体の流れを阻止するように弁が設けられている。クリップ１３が受容器１４と係合すると、雌部１５は雄部１７と係合し、雌部１６は雄部１８と係合する。係合動作によって弁が開き、その結果、流体が継手１２を通って移動する。
【００２５】
図１に戻ると、廃水戻り線２０が一端でクリップ１３の中の連結部１５に接続される。もう一端で、廃水戻り線２０は、真空化ポンプ２２と圧力モニタ手段２３を介して廃水タンク２１に接続される。オゾン水溶液を噴霧する前に、システム１０は患者治療トレイ１１が接続されていることを確認する。ポンプ２２が作動され、制御システム（図示せず）が圧力モニタ手段２３により生成される読取値を所定の圧力レベルと比較する。
【００２６】
クリップ１３が受容器１４に接続されていないと、継手１２の雄部と雌部１５、１６、１７、１８の中の弁が閉じ、廃水戻り線２０の中は高い真空状態となる。真空度が高く、圧力が所定の圧力レベルより低いため、システムは使用者に対し、治療トレイ１１が装置１０に接続されていないことを示す信号を送り、流体が治療トレイ１１へと送出されないようにする。
【００２７】
クリップ１３が受容器１４に接続されると、継手１２の雄部と雌部１５、１６、１７、１８の中の弁が開き、ポンプ２２が流体ピックアップ管２４を介して治療トレイ１１から空気を吸引する。ポンプ２２はそれゆえ、線２０内を高真空の状態にすることができず、圧力は所定の圧力レベルより高いままである。システム１０は、トレイ１１が接続されていることを確認して、次のプログラムされた段階へと移行する。
【００２８】
高濃度オゾン水溶液は、接触タンク２５の中で生成されて、流体送達ポンプ２７によって流体送達線２６から送出される。流体は継手１２の部材１６、１８を通過して、噴霧送達管２８を通じて、噴霧ヘッド２９へと案内され、ここで治療対象表面に塗布される。廃水はトレイ１１の底部で回収され、流体ピックアップ管２４の基部へと送られる。ポンプ２２によって廃水戻り線２０の中が真空となり、廃水はピックアップ管２４を通じて吸い上げられ、廃水戻り線２０を通って廃水タンク２１の中に貯められる。
【００２９】
噴霧段階中、廃水戻り線２０の中の圧力は圧力モニタ手段２３、たとえば圧力トランスデューサによって継続的にモニタされる。制御システムには、異なる動作条件で戻り線２０の中に作られる真空レベルに対応する、多数の所定の圧力値がプログラムされる。これらの動作条件とは、
高真空＝廃水戻り線２０が詰まっているか、治療トレイ１１が外れている（線２０の中に液体も気体も流れていない）
大気圧＝ポンプ２２が故障している（線２０の中に液体も気体も流れていない）
低真空＝流体が治療トレイ１１の中に噴霧されていないか、治療トレイ１１が接続されている（線２０の中には気体だけが流れている）
中真空＝流体が治療トレイ１１へと噴霧されており、廃水タンク２１へと戻されている（通常動作−線２０の中に気体と流体が流れている）
【００３０】
図３は、廃水戻り線２０の中の圧力変化を示すグラフであり、異なる動作条件をどのように判断できるかを示している。タイマは制御システム内で、圧力が中真空範囲（通常動作）から出た時点でスタートされる。線２０の中の圧力がある期間、たとえば３０秒間にわたって所定の圧力レベルに保たれると、システム１０は使用者に信号を送信する。このタイマにより、線の圧力の小さな過渡的な変化によってアラームが誤動作しないことが確実となる。
【００３１】
Ａでは、治療トレイ１１が接続され、廃水戻り線２０の中には気体だけが流れている（低真空）。Ｂでは、治療トレイ１１が切断されているか、廃水戻り線２０が詰まっている（高真空）。Ｃでは、治療トレイ１１が接続され、廃水戻り線２０の中には液体が流れている（中真空）。Ｄでは、ポンプ２２が故障しており、真空状態とならない。
【図１】
2014516666.tif 000003
【図２】
2014516666.tif 000004
【図３】
2014516666.tif 000005
【国際調査報告】
2014516666.tif 000006
2014516666.tif 000007
2014516666.tif 000008